(57)【要約】【課題】  入力手段の前面を覆うカバーが開きっ放しで放置されるようなことがない照合システムを提供することである。【解決手段】  識別信号を入力する入力手段２と、この入力手段を覆う開閉可能なカバーＣと、このカバーを閉じる方向の力を発揮する駆動機構４と、コントローラ３とを備え、コントローラ３は、入力手段２から入力された信号を識別対象信号と照合するとともに、その照合結果に応じて上記駆動機構４を制御して、カバーＣを閉じる。【選択図】  図２
2010013869.tif 000002
【特許請求の範囲】
【請求項１】
識別信号を入力する入力手段と、この入力手段を覆う開閉可能なカバーと、このカバーを閉じる方向の力を発揮する駆動機構と、上記入力手段から入力された信号を識別対象信号と照合するとともに、その照合結果に応じて上記駆動機構を制御し、カバーを閉じるコントローラとを備えた照合システム。
【請求項２】
上記コントローラは、照合結果が正しいとき、駆動機構を制御してカバーを閉じる請求項１に記載の照合システム。
【請求項３】
上記コントローラは、照合結果が正しいと判定した後、予め設定している設定時間が経過した後、カバーを閉じる請求項１に記載の照合システム。
【請求項４】
上記コントローラは、照合結果が正しくなく、かつ、設定時間内に信号入力がないときカバーを閉じる請求項１に記載の照合システム。
【発明の詳細な説明】
【技術分野】
【０００１】
この発明は、入力手段から入力された識別信号を照合する照合システムに関する。
【背景技術】
【０００２】
従来から、出入口付近に、テンキーやタッチパネルを備えた入力装置を設けるとともに、この入力装置から入力されるパスワードなどを、予め記憶している識別対象信号と照合して、その照合結果によって、ドアに設けた電気錠などを解錠したり、出入する人を管理したりすることが知られている。
上記識別信号を入力するための入力装置は、例えば、建物の玄関付近に設置されることが、通りがかった人にいたずらをされ難くしたり、埃からキーなど操作部を保護したりするために、カバーを設けたものが知られている。上記カバーは、通常は閉じて操作部を覆っているが、信号入力をする際には、手で開けることができるようにしたものである。そこで、ユーザーは、カバーを開けて識別信号を入力し、識別信号の入力が終わったら、そのカバーを閉じるようにしている。
【特許文献１】特開平５−２７２２６６号公報
【発明の開示】
【発明が解決しようとする課題】
【０００３】
上記カバーは、ユーザーの意思によって開閉されるものであるが、いたずらをするために、カバーを開けた場合や、識別信号の入力後に閉め忘れた場合には、カバーが開いたままになってしまう。カバーが開いたままだと、いたずら防止や、埃などからの保護といった所期の目的を達成できないだけでなく、開きっぱなしのカバーがそばを通る人の邪魔になったり、引っ掛かってカバーが壊れてしまったりするという問題もあった。
また、入力装置が戸外に取り付けられている場合に、上記カバーがきちんと閉まっていないと、強風でカバーが飛ばされてしまうこともあった。
【０００４】
この発明の目的は、入力手段の前面を覆うカバーが開きっ放しで放置されるようなことがない照合システムを提供することである。
【課題を解決するための手段】
【０００５】
第１の発明は、識別信号を入力する入力手段と、この入力手段を覆う開閉可能なカバーと、このカバーを閉じる方向の力を発揮する駆動機構と、上記入力手段から入力された信号を識別対象信号と照合するとともに、その照合結果に応じて上記駆動機構を制御し、カバーを閉じるコントローラとを備えたことを特徴とする。
第２の発明は、上記コントローラは、照合結果が正しいとき、駆動機構を制御してカバーを閉じることを特徴とする。
【０００６】
第３の発明は、上記コントローラは、照合結果が正しいと判定した後、予め設定している設定時間が経過した後、カバーを閉じることを特徴とする。
第４の発明は、上記コントローラは、照合結果が正しくなく、かつ、設定時間内に信号入力がないときカバーを閉じることを特徴とする。
【発明の効果】
【０００７】
第１〜第４の発明によれば、入力手段を覆うカバーを識別情報の照合結果に応じてコントローラが閉じるようにしているので、ユーザーの閉じ忘れによってカバーが開いたままになってしまうことを防止できる。そのため、入力手段をカバーで保護することができるし、開きっぱなしのカバーが、ユーザーの邪魔になることもない。
また、戸外に取り付けられた入力手段のカバーがきちんと閉まっていないと、強風でカバーが飛ばされてしまうようなことも起こるが、この発明によればそのような心配もない。
【０００８】
第２、第３の発明では、入力手段から入力された識別信号の照合結果が正しいとき、カバーを閉じることができる。例えば、この照合システムを出入口の電気錠の開閉に応用した場合、照合結果が正しくて解錠されると、ユーザーは解錠されたドアを通過する際に、カバーを閉じることを忘れてしまいがちである。しかし、この発明によれば、ユーザーがわざわざカバーを閉じる操作をしなくても、自動的にカバーを閉じることができる。従って、カバーが開いた状態で放置されることがない。
【０００９】
第４の発明によれば、照合結果が正しくなく、かつ、設定時間内に信号入力がなければ、カバーを閉じるようにしたので、いたずらなどで間違った識別信号が入力され、正しい識別信号の再入力がない場合でも、カバーを閉じることができる。
【発明を実施するための最良の形態】
【００１０】
図１に示す第１実施形態は、この発明の照合システムを電気錠の施解錠に利用したシステムである。
このシステムは、入力装置の本体１に、暗証番号などの識別信号を入力するためのタッチパネルを備えたこの発明の入力手段である信号入力部２と、これに接続したコントローラ３とを備えている。そして、上記タッチパネルを本体１の前面に設けるとともに、その表面を覆うカバーＣを備えている。
このカバーＣには、カバーＣを開閉するためのモーター４と、カバーＣが閉じているのか開いているのかを検出する開閉センサ５とを連結している。
【００１１】
また、上記コントローラ３は、上記信号入力部２からの識別信号や、上記開閉センサ５からの検出信号が入力されるデータ処理部６と、このデータ処理部６の処理結果に応じて制御信号出力する信号出力部７とを備えている。この信号出力部７には、上記モーター４を接続するとともに、電気錠８も接続している。
【００１２】
そして、上記データ処理部６は、上記信号入力部２から入力された識別信号を、予め記憶している識別対象信号と照合し、その照合結果に応じて電気錠８の施解錠を制御するための制御信号を信号出力部７から出力する機能を備えている。
すなわち、上記識別情報と識別対象信号とを対比して両者が一致していた場合には、上記信号出力部７から解錠指令信号を出力させて電気錠８を解錠し、正しい照合結果が得られなかったときには、電気錠８の施錠状態を維持するようにしている。
【００１３】
一方、カバーＣは、通常状態で信号入力部２の前面に設けたタッチパネルを覆い、タッチパネルから識別信号を入力する際には、ユーザーの操作によってカバーＣを開けるようにしている。例えば、信号入力部２の表面か隣に、カバーＣが閉じていても押すことができる図示しないスイッチを設け、このスイッチ押すと、開要求信号がデータ処理部６へ入力されて、信号出力部７からカバーＣを開く方向にモーター４を動作させるための制御信号が出力されるようにしている。
【００１４】
次に、この照合システムの作用について、図２のフローチャートに従って説明する。
ユーザーによって上記カバーＣを開けるためのスイッチが押されると、ステップＳ１で、データ処理部６にはカバーＣの開要求信号が入力される。ステップＳ２で、データ処理部６は、信号出力部７を介して、モーター４に対する駆動制御信号を出力する。このとき出力される制御信号は、カバーＣを開く方向にモーター４を回転させる指令である。そして、ステップＳ３でモーター４が駆動してカバーＣを開く。
【００１５】
但し、データ処理部６は、開閉センサ５からの検出信号によって、カバーＣの開閉状態を認識できるので、その時点でのカバーＣの開閉状況に応じた制御信号を出力するようにする。例えば、既にカバーＣが全開状態のときには、開要求信号が入力されたとしても、信号出力部７からカバーＣを開くためにモーター４を駆動する制御信号は出力しない。
カバーＣが閉まっているか、途中までしか開いていないときには、信号出力部７から上記モーター４を駆動させるための制御信号を出力し、その結果、上記開閉センサ５によってカバーＣの全開状態を検出したら、モーター４の駆動を停止させる。
【００１６】
上記のようにカバーＣが開いたら、ユーザーは信号入力部２から識別情報を入力できる。
ステップＳ４で、データ処理部６に識別信号が入力されたら、ステップＳ５で、データ処理部６は、上記識別信号を予め記憶している識別対象信号と対比して、両者が一致するか否かを判定する。両者が一致した場合、すなわち照合結果が正しい場合には、ステップＳ６へ進んで電気錠８を解錠させるための解錠信号を信号出力部７から出力させる。
データ処理部６は、電気錠８を解錠させるとともにステップＳ７へ進み、照合結果を判定した時点からの経過時間の計測を開始する。なお、上記ステップＳ６、Ｓ７はどちらが先でもかまわないが、ほぼ同時に実行する。次に、ステップＳ８で、上記経過時間が設定時間Ｔ１に達したかどうかを判定して、設定時間Ｔ１に達したと判断した場合にはステップＳ９へ進む。
【００１７】
ステップＳ９で、データ処理部６は信号出力部７からモーター４に対して、カバーＣを閉じるための制御信号を出力し、ステップＳ１０でカバーＣを閉じる。
以上のように、データ処理部６に、正しい識別信号が入力され、その照合が終了したときには、モーター４が駆動してカバーＣを閉じるので、識別信号を入力するために開けたカバーＣを、ユーザーが閉じなくても、カバーＣが開いたまま放置されることがない。
なお、上記ステップＳ６で出力した解錠信号によって解錠された電気錠８は、所定のタイミングで再施錠するようにしている。この施錠タイミングや、その手順は、通常の出入管理装置で行なわれているどのようなものでもよいので、ここではその説明は省略する。
【００１８】
一方、ステップＳ５で、データ処理部６が照合した結果、識別情報と識別対象信号とが一致しないと判定した場合には、ステップＳ１１へ進む。つまり、電気錠８は施錠状態を保ったままである。そして、データ処理部６は、ステップＳ１１において、上記ステップＳ５での判定後の経過時間の計測を開始する。そして、ステップＳ１２へ進み、データ処理部６に、信号入力部２から識別信号の入力があったときには、ステップＳ５へ戻るが、識別信号の入力がない場合にはステップＳ１３へ進み、上記経過時間が設定時間Ｔ２に達したかどうか判断する。ステップＳ１３で、データ処理部６は、経過時間が設定時間Ｔ２に達したと判断したら、ステップＳ９へ進んで、信号出力部７からモーター４に対する制御信号を出力し、カバーＣを閉じる（ステップＳ１０）。
【００１９】
上記ステップＳ５→Ｓ１１→Ｓ１２→Ｓ１３→Ｓ９→Ｓ１０のように、入力された識別情報の照合結果が正しくないときにも、照合結果の判定から設置時間Ｔ２が経過するまでの間に識別信号の入力がなければ、カバーＣを閉じるようにしているので、カバーＣが開いたまま放置されることがない。
但し、照合結果が正しくないと判定した後、上記設定時間Ｔ２が経過する前に、識別信号の入力があれば、再度、照合を行ない、経過時間の計測もやり直すことになる。
【００２０】
なお、識別信号が、複数の数字などを組み合わせたものの場合、上記ステップＳ１２では、全ての信号が入力され入力の終了を示すエンターキーなどが押された時点で、識別信号が入力されたと判断するようにしている。つまり、いくつかのキーを押したけれど、エンターキーは押さないで放置したような場合には、経過時間の計測を続けて、設定時間Ｔ２に達した時点でカバーＣを閉じるようにしている。
但し、識別信号として必要な複数の信号入力や入力終了を示す信号の入力がなくても、上記ステップＳ１１以降に、信号入力部２からひとつでも信号が入力された場合には、計測時間をリセットして、新たに計測を開始するようにしてもよい。
【００２１】
また、上記設定時間Ｔ１，Ｔ２は、予め設定しておく時間であるが、識別信号を入力するとき以外は、カバーＣが開いている必要はないので、上記Ｔ１，Ｔ２は短時間に設定することができる。但し、識別信号を入力し間違え、同じユーザーが続けて識別信号を入力する可能性を考慮して、照合結果が正しくなかった場合の経過時間の設定時間Ｔ２を長めに設定するようにすれば、カバーＣが開いている設定時間Ｔ２内に、続けて識別信号の再入力ができる。
【００２２】
図３〜図５に、上記入力装置の本体１に取り付けたカバーＣの具体的構成を示す。
図３は、本体１の側面図でカバーＣの全閉状態を示している。このカバーＣは、回転軸９を中心に回動し、図３の矢印Ａ方向に開くようにしている。
図４は、本体１の背面図で、本体１の輪郭を二点鎖線で示しているが、カバーＣの両脇から内側に向かって突出している軸部３ａ、３ｂ間に同軸上に配置された部材は、全て入力装置の本体１内に収まるものである。
【００２３】
そして、上記カバーＣの一方の軸部３ａには、回転軸９を固定し、他方の軸部３ｂには、本体１を回転自在に取り付けている。
また、上記回転軸９と同軸上にこの発明の駆動機構を構成するモーター４を設け、このモーター４の端子４ａ，４ｂに、上記コントローラ３の信号出力部７を接続し（図１参照）ている。
さらに、このモーター４をビス１０によってブラケット１１に固定し、このブラケット１１を入力装置の本体１に固定している。
【００２４】
また、モーター４の駆動軸１２には、第１回転体１３を取り付けている。この第１回転体１３は、図４、図５に示すように、円板部１３ａと軸部１３ｂとからなり、円板部１３ａの中心に軸方向穴を形成して、そこに上記駆動軸１２を挿入するとともに、円板部１３ａの外周から挿入した止めビス１４によって両者を一体化している。つまり、この第１回転体１３は、モーター４の駆動軸１２と一体回転する。
上記第１回転体１３の外周には、スリーブ状の第２回転体１５を相対回転可能に取り付け、その端面１５ａを上記円板部１３ａの軸部１３ｂ側の円板面１３ｃに対向させている。
【００２５】
第２回転体１５の内周には、段部１５ｂを形成し、この段部１５ｂと上記軸部１３ｂの先端との間に第１スプリング室１６を構成するとともに、この第１スプリング室１６内にスプリング１７を圧縮した状態で収納している。そして、上記第１スプリング室１６開口端を、上記軸部１３ｂにねじ込んだビス１８の頭部によって塞ぎ、この頭部と上記段部１６とによって上記スプリング１７の両端を受けている。そのため、上記ビス１８の頭部と第２回転体１５の段部１５ｂとには、上記スプリング１７の伸長方向の弾性力が作用する。この弾性力は、第１回転体１３の円板面１３ｃと第２回転体１５の端面１５ａとを互いに押し付け、密着させる方向の力である。
【００２６】
さらに、上記第２回転体１５であって、上記モーター４と反対側には、上記第１スプリング室１６よりも拡径して段部１５ｃを備えた第２スプリング室１９を構成し、この第２スプリング室１９には、上記回転軸９を挿入している。そして、上記第２回転体１５の直径方向に貫通するスプリングピン２０によって、上記第２回転体１５と回転軸９とを結合している。
なお、第２回転体１５の側面には、上記スプリングピン２０を貫通させる長穴２１を形成し、上記スプリングピン２０を、第２回転体１５に対して、この長穴２１の長径の範囲で軸方向に移動可能にしている。
【００２７】
但し、上記第２スプリング室１９にはスプリング２２を挿入し、このスプリング２２の弾性力によって上記回転軸９を外方へ突出させるようにしている。
このように、上記長穴２１を形成したのは、上記回転軸９を軸方向に移動可能にするためである。回転軸９を、上記スプリング２２の弾性力に抗して第２回転体１５内へ押し込めば、軸方向の長さが短くなるので、本体１にカバーＣを着脱し易くなる。
【００２８】
また、上記第２回転体１５の外壁には、１対の永久磁石２３ａ，２３ｂを設けるとともに、カバーＣの開閉に伴って、上記永久磁石２３ａ，２３ｂを検出する一対のホールＩＣ２４ａ，２４ｂを備えた基板２４を本体１側に固定している。
すなわち、図５に示すカバーＣの全閉状態においては、一方のホールＩＣ２４ａに一方の永久磁石２３ａが対向し、カバーＣが全開状態のときには、カバーＣに固定された回転軸９が回転し、もう一方の永久磁石２３ｂがもう一方のホールＩＣ２４ｂと対向するようにしている。なお、この実施形態において、カバーＣは開閉によって、１８０度回転可能にしているので、上記図５に示すように、永久磁石２３ａ，２３ｂを、カバーＣと一体的回転する第２回転体１５の回転方向において１８０度離れた位置に配置している。しかし、カバーＣの可動範囲は１８０度に限らず、一対の永久磁石２３ａ，２３ｂも、カバーＣの可動範囲に応じて配置する必要がある。
【００２９】
そして、この基板２４を、図１に示す上記コントローラ３のデータ処理部６に電気的に接続して、ホールＩＣ２４ａ，２４ｂから出力される信号をデータ処理部６に入力するようにしている。従って、上記コントローラ３は、各ホールＩＣ２４ａ，２４ｂから出力される信号によってカバーＣの開閉状態を判断することができる。つまり、この実施形態においては、上記永久磁石２３ａ，２３ｂ及びホールＩＣ２４ａ，２４ｂが、図１における開閉センサ５を構成している。
【００３０】
このような駆動機構を備えたカバーＣの開閉動作を以下に説明する。
カバーＣは、上記コントローラ３の信号出力部７から出力される制御信号に基づいて、モーター４が作動することによって開閉する。そのタイミングは、上記した通りである。
上記コントローラ３の制御信号に基づいてモーター４が回転すると、その駆動軸１２と第１回転体１３とが一体回転する。このとき、第１回転体１３の円板面１３ｃと第２回転体１５の端面１５ａとは第１スプリング１７の弾性力によって互いに押し付けられて密着しているので、両面間には垂直抗力が発生し、この垂直抗力に見合った摩擦力によって、通常は、両面が一体的に回転する。つまり、モーター４の回転によって第２回転体１５も回転し、第２回転体１５に結合している回転軸９も回転して、カバーＣが開閉する。
【００３１】
しかし、第１回転体１３と第２回転体１５との相対回転力が、上記円板面１３ｃと端面１５ａとの間の摩擦力に打ち勝った場合には、上記円板面１３ｃと端面１５ａとは摺動し、第１回転体１３と第２回転体１５とは相対回転する。
つまり、第１回転体１３または第２回転体１５のいずれかに、入力される駆動力が、両接触面１３ｃ，１５ａ間の摩擦力の範囲内では、一方の回転体から他方の回転体へ回転力が伝達されるが、入力される駆動力が上記摩擦力を超えた場合には、回転力は伝達されずに、一方の回転体のみが回転する。
【００３２】
このように、上記円板面１３ｃと端面１５ａとによってクラッチ機構を構成しているので、いずれか一方に大きな回転力を作用させた場合にも、カバーＣやモーター４などを破損してしまうことがない。
例えば、カバーＣは、全開状態や全閉状態から、それ以上開く方向や閉まる方向へ移動しないように機械的なストッパーを設けることがあるが、このストッパーに付き当たっているのにも係らず、モーター４が慣性で回転してしまうことがある。このようなとき、移動を規制されたカバーＣ側に連係している第２回転体１５の端面１５ａと、モーター４の駆動力によって回転する第１回転体１３の円板面１３ｃとは摺動し、駆動軸１２の駆動力はカバーＣ側へは伝達されない。これにより、開ききったカバーＣを無理やり開けようとしたり、閉まりきっているカバーＣをさらに閉まる方向へ移動させる力を作用させたりしても、カバーＣを破損してしまうようなことはない。
【００３３】
また、反対に、モーター４が回転していない状態で、カバーＣを手動で開閉する場合にも、第２回転体１５側の回転力が、上記端面１５ａと円板面１３ｃとの間の上記摩擦力に打ち勝って両対向面は摺動するので、回転力は第１回転体１３には伝達されない。そのため、止まっているモーター４の駆動軸１２を無理やり回転させようとして駆動軸１２を破壊してしまうようなことはない。言い換えれば、上記のようにモーター４によって開閉が可能なカバーＣであっても、手動で開閉することもできる。
但し、この発明の照合装置としては、上記クラッチ機構は必須の構成ではない。
【００３４】
なお、上記実施形態では、カバーＣを開けるためには、ユーザーが所定のスイッチを押して、コントローラ３へ開要求信号を入力するようにしているが、カバーＣを開けるための、開要求信号の入力方法は、この実施形態のものに限らない。例えば、人が、信号入力部２に近づいたことを検出するセンサをコントローラ３に接続し、検出信号が入力されたとき、自動的にカバーＣを開けるようにしてもよい。あるいは、カバーＣを手動で開けるようにしてもよい。要するに、この発明の照合装置は、識別信号の照合結果に応じて、カバーを閉じることができれば、カバーを開ける手段は、どのようなものでもかまわない。
【００３５】
この実施形態では、永久磁石２３ａ，２３ｂとホールＩＣ２４ａ，２４ｂとによって、開閉センサを構成しているが、カバーＣの開閉状態を検出するための開閉センサの構成は、この実施形態のものに限らないし、開閉センサも必須の構成要素ではない。
また、上記実施形態では、入力装置の本体１内に、コントローラ３を備えているが、このコントローラ３を上記本体１とは別装置にしてもよい。コントローラ３を入力装置とは別装置にした場合には、複数の信号入力装置を接続して各信号入力部２から入力される識別信号を一つのコントローラ３で照合処理し、その照合結果に応じて各入力装置のカバーＣの開閉を制御することもできる。
【００３６】
さらに、入力手段はタッチパネルに限らず、キーや、ボタン、手書き文字入力用のタブレットなど、信号入力が可能な構成を備えていればよい。
そして、この発明の照合システムは、上記のように電気錠の施解錠に利用するだけでなく、照合結果を利用して、何かの許可を与えたり、別の装置を駆動させたりする様々なシステムに利用できるものである。
【図面の簡単な説明】
【００３７】
【図１】この発明の実施形態のシステム構成図である。
【図２】実施形態の作用を示すフローチャートである。
【図３】実施形態の入力装置の側面図である。
【図４】入力装置の背面図である。
【図５】図４のＶ-Ｖ線断面図である。
【符号の説明】
【００３８】
Ｃ      カバー
１      （入力装置の）本体
２      信号入力部
３      コントローラ
４      モーター
６      データ処理部
７      信号出力部
【図１】
2010013869.tif 000003
【図２】
2010013869.tif 000004
【図３】
2010013869.tif 000005
【図４】
2010013869.tif 000006
【図５】
2010013869.tif 000007